(57)【要約】  体感刺激をユーザに感知させることで、受信メッセージに含まれている情報をユーザに認識させる。受信したメッセージに所定の情報が含まれている場合、該所定の情報に応じた所定の体感刺激を特定する体感刺激特定部（３３、３３ａ）と、特定された体感刺激を発生するように体感刺激発生部に指示する体感刺激指示部（３４、３４ｂ）とを備えている。
2017038398.tif 000002
【特許請求の範囲】
【請求項１】
外部の通信機器からメッセージを受信する情報処理装置であって、
上記メッセージに所定の情報が含まれている場合、該所定の情報に応じた所定の体感刺激を特定する体感刺激特定部と、
上記情報処理装置のユーザに体感刺激を与える体感刺激発生部に対して、特定された上記所定の体感刺激を発生するように指示する体感刺激指示部とを備えていることを特徴とする情報処理装置。
【請求項２】
上記体感刺激特定部は、上記所定の情報が示す感情を表現した体感刺激を特定することを特徴とする請求項１に記載の情報処理装置。
【請求項３】
上記情報処理装置または他の機器は、互いに異なる上記体感刺激を発生する複数の体感刺激発生部を備えており、
上記体感刺激指示部は、複数の上記体感刺激発生部のそれぞれに、異なる体感刺激を発生するように指示することを特徴とする請求項１または２に記載の情報処理装置。
【請求項４】
体感刺激を発生する体感刺激発生部を備えているウェアラブル機器であって、
請求項１から３の何れか１項に記載の情報処理装置からの指示に従い、上記体感刺激発生部は上記体感刺激を発生することを特徴とするウェアラブル機器。
【請求項５】
外部の通信機器からメッセージを受信する情報処理装置の制御方法であって、
上記メッセージに所定の情報が含まれている場合、該所定の情報に応じた所定の体感刺激を特定する体感刺激特定ステップと、
上記情報処理装置のユーザに体感刺激を与える体感刺激発生部に対して、特定された上記所定の体感刺激を発生するように指示する体感刺激指示ステップとを含むことを特徴とする情報処理装置の制御方法。
【請求項６】
請求項１から３の何れか１項に記載の情報処理装置としてコンピュータを機能させるためのプログラムであって、上記体感刺激特定部および上記体感刺激指示部としてコンピュータを機能させるためのプログラム。
【発明の詳細な説明】
【技術分野】
【０００１】
本発明はメッセージを受信し、受信したメッセージに含まれている情報をユーザに認識させる情報処理装置、情報処理装置の制御方法およびプログラムに関する。
【背景技術】
【０００２】
スマートフォン等の通信端末において、メッセージの送受信を行う手段として、電子メールや各種ソーシャルネットワーキングサービス（SNS）のメッセンジャー機能が一般的に使用されている。当該手段として、例えば、送受信したメッセージをリアルタイム、かつ、時系列に沿って閲覧することのできるアプリケーション等がある。例えば、このようなアプリケーションにおいては、テキストデータ以外に、メッセージを送信するユーザの感情等を表した画像データを送受信することができる。【０００３】
一方で、着信を、ユーザに通知する技術が開発されている。例えば、特許文献１には、携帯電話機に着信があったことを、ユーザに身に着ける着信通知端末に通知して、該着信通知端末のブザー、バイブレータおよびＬＥＤ等を動作させる着信通知システムが開示されている。また、電子メール等によるメッセージの受信をＬＥＤの点灯やバイブレータの振動によりユーザに報知することも従来から広く行われている。
【先行技術文献】
【特許文献】
【０００４】
【特許文献１】日本国公開特許公報「特開２０１０−２１３１３７号公報（２０１０年９月２４日公開）」
【発明の概要】
【発明が解決しようとする課題】
【０００５】
しかし、上述の従来技術において、ユーザは、ブザーやバイブレータによる通知では、受信したメッセージの内容を認識することができない。つまり、上記従来の通知では、着信があったことをユーザに認識させるのみであり、メッセージの内容を確認するためには、そのメッセージを表示させる必要があるという問題がある。【０００６】
本発明は、上記の問題点に鑑みてなされたものであり、その目的は、ユーザが受信したメッセージを表示させなくとも、そのメッセージにどのような情報が含まれているかを、該ユーザに認識させることができる情報処理装置等を提供することにある。
【課題を解決するための手段】
【０００７】
上記の課題を解決するために、本発明の一態様に係る情報処理装置は、外部の通信機器からメッセージを受信する情報処理装置であって、上記メッセージに所定の情報が含まれている場合、該所定の情報に応じた所定の体感刺激を特定する体感刺激特定部と、上記情報処理装置のユーザに体感刺激を与える体感刺激発生部に対して、特定された上記所定の体感刺激を発生するように指示する体感刺激指示部とを備えている。【０００８】
また、本発明の一態様に係る情報処理装置の制御方法は、外部の通信機器からメッセージを受信する情報処理装置の制御方法であって、上記メッセージに所定の情報が含まれている場合、該所定の情報に応じた所定の体感刺激を特定する体感刺激特定ステップと、上記情報処理装置のユーザに体感刺激を与える体感刺激発生部に対して、特定された上記所定の体感刺激を発生するように指示する体感刺激指示ステップとを含む。
【発明の効果】
【０００９】
本発明の一態様によれば、体感刺激をユーザに感知させることによって、受信したメッセージに含まれている所定の情報をユーザに認識させることができるという効果を奏する。
【図面の簡単な説明】
【００１０】
【図１】本実施形態１に係る情報処理装置および腕時計型端末の要部構成を示すブロック図である。
【図２】本実施形態１の情報処理装置の概要を示す図である。
【図３】本実施形態１の体感刺激テーブルを示す図である。
【図４】本実施形態１の情報処理装置の処理の流れの例を示すフローチャートである。
【図５】本実施形態２の情報処理装置の要部構成を示すブロック図である。
【図６】本実施形態２の情報処理装置の処理の流れの例を示すフローチャートである。
【発明を実施するための形態】
【００１１】
〔実施形態１〕
以下、本発明の実施の形態について、図１〜４を参照しながら、詳細に説明する。
【００１２】
〔本実施形態の概要〕
本実施形態の概要について図２を用いて説明する。図２は、本発明の実施形態１に係る情報処理装置１の概要を示す図である。図２に示すように、情報処理装置１は、外部の通信装置（通信機器）１ａからメッセージを受信する。例えば、情報処理装置１および通信装置１ａはスマートフォン（スマホ）である。
【００１３】
なお、受信するメッセージがどのようなものであるかは特に限定されず、テキストのみのメッセージであってもよいし、画像のみのメッセージであってもよく、これらの組み合わせであってもよい。この他にも、音声のメッセージなど、上記以外の形式のメッセージであってもよい。また、メッセージの送信・受信の態様も特に限定されず、例えば電子メールとして送信されたメッセージを情報処理装置１が受信する態様であってもよいし、サーバにアップロードされたメッセージを情報処理装置１がダウンロードする態様であってもよい。そして、後者の場合、外部の通信装置１ａがアップロードしたメッセージの他、情報処理装置１や、その他の装置がアップロードしたメッセージについても合わせてダウンロードし、これら複数のメッセージをリアルタイムに時系列で（タイムライン形式で）表示してもよい。
【００１４】
図２では、「Ａさん」が、スマートフォン（外部の通信装置１ａ）を操作して、画像Ｐを含むメッセージを「Ｂさん」のスマートフォン（情報処理装置１）に送信している状況を例示している。
【００１５】
情報処理装置１は、メッセージを受信すると、メッセージに特定情報（所定の情報）が含まれているか判断する。特定情報とは、例えば、予め設定されている画像、予め設定されているテキスト（キーワード）等である。ここで、特定情報が含まれていると判断した場合、情報処理装置１は、メッセージに含まれる特定情報に応じた所定の体感刺激を特定する。
【００１６】
次に、情報処理装置１は、特定した体感刺激を外部機器に発生させる。本実施形態では、外部機器が、図２に示すように腕時計型端末（ウェアラブル機器）１０である例を説明する。なお、外部機器は、ヘッドフォン型、眼鏡型、ベルト型、指輪型、ベスト型、ジャケット型、スラックス型および帽子型等、身体に装着することが可能な通信端末であればよい。
【００１７】
腕時計型端末１０は、情報処理装置１からの指示を、無線通信等を介して受信し、該指示に従い体感刺激を発生する。なお、腕時計型端末１０および情報処理装置１の通信はBluetooth（登録商標）等の近距離無線通信が用いられる他、無線ＬＡＮ等の遠距離無線通信が用いられてもよい。なお、当該通信は、無線通信に限定されない。
【００１８】
図２の例では、特定情報は画像Ｐ（「ぎゅ〜」）である。情報処理装置１は、通信装置１ａから受信したメッセージに画像Ｐが含まれている場合、その画像Ｐに応じた所定の体感刺激を特定する。そして、情報処理装置１は、特定した体感刺激を発生するように、腕時計型端末１０を制御する。この例示においては、画像Ｐ（「ぎゅ〜」）を示すものとして、腕時計型端末１０を装着しているユーザの手首を締め付けると共に、振動を与える体感刺激（「ぎゅ〜」としまって振動する）を発生させる。
【００１９】
なお、図示の例では、画像Ｐ（「ぎゅ〜」）以外にも、様々な定型の画像をメッセージとして送信することができる。図示の各画像は、体感刺激の内容をテキストで示した画像であり、これらの各画像にも、それぞれの画像の内容に応じた体感刺激が対応付けられている。例えば、画像（ぐっぐ）は、２回強く締め付ける体感刺激が対応付けられている。よって、この画像を含むメッセージを情報処理装置１が受信したときには、腕時計型端末１０が腕時計型端末１０を装着しているユーザに、２回強く締め付ける体感刺激を与える。
【００２０】
上記の構成によれば、情報処理装置１は、受信したメッセージに特定情報が含まれている場合、特定情報に応じた所定の体感刺激を、外部機器に発生させる。そのため、体感刺激発生部が発生する体感刺激をユーザに感知させることによって、受信したメッセージに含まれている特定情報をユーザに認識させることができる。例えば、目に障害があり、上記メッセージが表示されても、それを確認することができないユーザに対して、受信したメッセージに含まれている特定情報を通知することが可能となる。
【００２１】
〔情報処理装置１の構成〕
次に、情報処理装置１の構成について図１を用いて説明する。図１は情報処理装置１および腕時計型端末１０の要部構成を示すブロック図である。情報処理装置１は、メッセージを受信可能な装置であればよく、上述したスマートフォンの他、携帯電話機、携帯型ゲーム機およびウェアラブルな通信機器等であってもよい。情報処理装置１は、第１通信部２、制御部３、タッチパネル４、記憶部５および第２通信部７を備えている。
【００２２】
第１通信部２は、情報処理装置１が外部の機器と、通信ネットワークを介して通信するためのものである。本実施形態では、第１通信部２は、通信装置１ａからメッセージを受信し、該メッセージを制御部３のデータ受信部３１に送信する。
【００２３】
制御部３は、情報処理装置１の各部を統括して制御するものである。制御部３は、データ受信部３１、体感刺激特定部３３および体感刺激指示部３４を含む。
【００２４】
データ受信部３１は、第１通信部２から受信したメッセージを体感刺激特定部３３に送信する。また、データ受信部３１は、受信したメッセージを表示部４１に表示させる。
【００２５】
体感刺激特定部３３は、受信したメッセージに特定情報が含まれているか否かを判断する。そして、体感刺激特定部３３は、受信したメッセージに特定情報が含まれている場合、該特定情報に応じた所定の体感刺激を特定する。詳細には、体感刺激特定部３３は、記憶部５に格納されている体感刺激テーブル５１を参照して、受信したメッセージに特定情報が含まれているかを判断する。
【００２６】
ここで、体感刺激テーブル５１の説明に先立って、腕時計型端末１０が備えている体感刺激発生部１５の概要を説明する。体感刺激発生部１５は、収縮部１５ａおよび振動部１５ｂを含む。振動部１５ｂは、振動の体感刺激を発生するものであり、収縮部１５ａは収縮（による圧迫）の体感刺激を発生するものである。すなわち、本実施形態においては、体感刺激として２つの種類の体感刺激（収縮および振動）を用いる例について説明する。収縮部１５ａおよび振動部１５ｂの詳細については後述する。
【００２７】
体感刺激テーブル５１について、図３を用いて説明する。図３に示すように、体感刺激テーブル５１には、特定情報と腕時計型端末１０の体感刺激発生部１５が発生する体感刺激とが対応付いて記憶されている。
【００２８】
特定情報は、メッセージとして受信可能なものであればよく、例えば画像、テキスト等を特定情報としてもよい。図３の体感刺激テーブル５１には、２種類の画像（「やった〜！」と「仲直り」）が含まれている。これらの画像は、単独であるいはテキストと共にメッセージとして送信可能なものとして予め用意されている。
【００２９】
つまり、外部の通信装置１ａのユーザは、予め用意された画像の中から、所望の画像を選択して、その画像単独であるいはテキストと共に、メッセージとして情報処理装置１に送信することができる。そして、情報処理装置１は、受信したメッセージに含まれる画像が、体感刺激テーブル５１に登録された特定情報である場合に、その特定情報に対応付けられている体感刺激を体感刺激発生部１５によって発生させる。
【００３０】
また、図３の体感刺激テーブル５１には、特定のテキスト（具体的には「悲しい」）が含まれている。このように、メッセージとして送信され得るものであれば、任意の情報を特定情報とすることができる。例えば、音声等を特定情報としてもよい。
【００３１】
そして、図示の体感刺激テーブル５１では、各特定情報について、体感刺激発生部１５が発生させる体感刺激のパターンを示す情報が対応付けられている。また、体感刺激発生部１５には、収縮部１５ａおよび振動部１５ｂが含まれているので、図示の体感刺激テーブル５１には、体感刺激のパターンを示す情報として、収縮部１５ａの収縮パターンと、振動部１５ｂの振動パターンとが含まれている。
【００３２】
体感刺激のパターンは、該体感刺激を受けたユーザに特定情報の内容を認識させることができるようなものであればよく、直感的に特定情報の内容を認識させることができるようなものであることが好ましい。
【００３３】
例えば、図３の体感刺激テーブル５１に含まれる特定情報のうち、画像（「やった〜！」）は、ヒトが拳を突き上げた様子を示す画像であり、躍動感、昂揚感、および達成感などを感じさせる画像である。このため、この特定情報に対応付ける体感刺激のパターンも、達成感や躍動感、昂揚感を感じさせるパターンとすることが好ましい。言い換えれば、この特定情報に対応付ける体感刺激のパターンは、この特定情報の示す感情を表現したものとすることが好ましい。例えば、図示の例では、画像（「やった〜！」）には、収縮強度のピークが複数（具体的には４つ）連続して生じる収縮パターンと、その収縮が行われている時間に振動を発生させる振動パターンとが対応付けられている。つまり、図示の体感刺激テーブル５１によれば、画像（「やった〜！」）を含むメッセージの受信時に、収縮部１５ａにて連続した複数回（具体的には４回）の締め付けを行いながら、振動部１５ｂを振動させるという体感刺激を発生させる。この体感刺激は、画像（「やった〜！」）と共通の感覚（躍動感や昂揚感など）を与えるものであるから、この体感刺激を受けたユーザは、メッセージの内容を、視覚で確認するまでもなく、体感で認識することができる。
【００３４】
一方、図３の体感刺激テーブル５１に含まれる特定情報のうち、画像（「仲直り」）は、二人のヒトが手をつないだ様子を示す画像であり、親密さ、および一体感などを感じさせる画像である。このため、該画像には、収縮強度のピークが１つの収縮パターンと、その収縮が行われている時間に２回の振動を発生させる振動パターンとが対応付けられている。つまり、図示の体感刺激テーブル５１によれば、画像（「仲直り」）を含むメッセージの受信時に、収縮部１５ａにて１回の締め付けを行いながら、振動部１５ｂを２回振動させるという体感刺激を発生させる。この体感刺激のうち、２回の振動は、画像（「仲直り」）に含まれる二人のヒトを想起させ、これら振動と共に発生される１回の締め付けは、二人のヒトの一体感を想起させる。よって、この体感刺激を受けたユーザは、メッセージの内容を、視覚で確認するまでもなく、体感で認識することができる。
【００３５】
また、図３の体感刺激テーブル５１に含まれるテキスト（「悲しい」）の特定情報には、収縮パターンは対応付けられておらず、振動パターンのみが対応付けられている。そして、この振動パターンは、短時間の振動の後、所定の時間を空けて再度短時間振動するというパターンである。このような体感刺激のパターンは、同図に示される他のパターンと比べて刺激が小さく、悲しさや寂しさを想起させるものであるから、この体感刺激を受けたユーザは、メッセージの内容を、視覚で確認するまでもなく、体感で認識することができる。
【００３６】
なお、特定情報の中には、上記の「悲しい」のように、感情を示す情報が含まれていてもよい。そして、同じ感情に対応する複数の特定情報を体感刺激テーブル５１に含めておいてもよい。例えば、悲しみの感情に対応する特定情報として、上記「悲しい」のテキストに加えて、悲しみを示す画像を含めてもよい。この場合、同じ感情に対応する複数の特定情報には、共通の体感刺激のパターンを対応付けることが好ましい。そして、感情を示す特定情報に対応付ける体感刺激は、その感情を表現したものとすることが好ましい。これにより、体感刺激を受けるユーザは、メッセージに込められた感情を認識しやすくなる。
【００３７】
このように、本実施形態では、異なる体感刺激（振動および収縮）を発生する部材のそれぞれに、異なる体感刺激を発生するように指示する。上記の構成によれば、１種類の体感刺激を用いる構成に比べて、多数のバリエーションの体感刺激を発生することができる。
【００３８】
体感刺激指示部３４は、腕時計型端末１０が備えている体感刺激発生部１５に対して体感刺激を発生するように指示する。詳細には、体感刺激指示部３４は、体感刺激特定部３３が特定したパターンの体感刺激を腕時計型端末１０の体感刺激発生部１５に発生せしめるための体感刺激情報を生成し、第２通信部７を介して、腕時計型端末１０に送信する。
【００３９】
タッチパネル４は、画面表示を行う表示部４１を備えている。表示部４１は、画像を表示するための表示画面を有しており、制御部３から画像信号を受信し、受信した画像信号に基づいてその表示画面に画像を表示する。同図には示していないが、表示部４１には、表示画面への画像の表示を制御する表示制御部が含まれている。表示部４１は、例えば受信したメッセージを表示する。表示部４１は画像を表示する機能を備えているものであればよく、例えばＬＣＤ（Liquid Crystal Display）表示装置、ＥＬ（Electro Luminescence）表示装置等で構成することもできる。また、タッチパネル４は、表示画面に対するユーザの入力操作（表示画面をタッチする操作）を受け付け、受け付けた入力操作の内容を示す信号を制御部３に出力する。
【００４０】
記憶部５は、情報処理装置１が使用する各種データを記憶するものである。本実施形態では、体感刺激テーブル５１を記憶している。
【００４１】
第２通信部７は、情報処理装置１が外部の機器と通信するためのものである。本実施形態では、第２通信部７は、腕時計型端末１０に体感刺激情報を送信する。
【００４２】
〔腕時計型端末１０の構成〕
次に、腕時計型端末１０の構成について図１を用いて説明する。腕時計型端末１０は、情報処理装置１から体感刺激情報を受信し、該体感刺激情報が示すパターンの体感刺激を発生する。腕時計型端末１０は、通信部１２、体感刺激制御部１３および体感刺激発生部１５を備えている。
【００４３】
通信部１２は、腕時計型端末１０が外部の機器と通信するためのものである。例えば、通信部１２は、情報処理装置１から体感刺激情報を受信する。
【００４４】
体感刺激制御部１３は、受信した体感刺激情報が示すパターンの体感刺激を発生させるように体感刺激発生部１５を制御する。
【００４５】
体感刺激発生部１５は、体感刺激を発生するものである。詳細には、体感刺激発生部１５は収縮部１５ａおよび振動部１５ｂを備えている。収縮部１５ａは、ユーザに対して収縮の体感刺激を与えるものである。収縮部１５ａは、例えば、マイクロポンプとバルーン（膨脹部材）から構成されていてもよい。この場合、マイクロポンプを駆動してバルーンに空気を送り込むことによって、バルーンを膨脹させ、これによりユーザに収縮の体感刺激（圧迫の刺激）を与える。上記バルーンは、例えば、ユーザの手首に腕時計型端末１０を保持するバンドに設けてもよい。振動部１５ｂは、ユーザに対して振動の体感刺激を与えるものである。振動部１５ｂは、バイブレータ等によって構成されてもよい。
【００４６】
また、体感刺激発生部１５は、温度を体感刺激としてユーザに体感させるペルチェ素子等を備えていてもよい。例えば、怒りのような感情（高ぶっている感情）を表している特定情報には高温の体感刺激を対応付けてもよい。また、悲しみ、さみしさ等の感情（落ち込んでいる感情）を表している特定情報には低温の体感刺激を対応付けてもよい。これにより、体感刺激によって、特定情報の示す感情を表現することができる。なお、体感刺激発生部１５はユーザに対して体感刺激を与えることができるものであればよく、体感刺激発生部１５がどのような体感刺激を発生させるかは任意である。また、本実施形態では、振動と圧迫という２種類の体感刺激を組み合わせる例を示したが、３種類以上の体感刺激を組み合わせてもよい。
【００４７】
〔情報処理装置１の処理の流れ〕
次に、情報処理装置１が実行する処理の流れの一例について、図４を参照して説明する。図４は、情報処理装置１における処理の流れの一例を示すフローチャートである。図４に示すように、情報処理装置１のデータ受信部３１は、メッセージを受信すると（Ｓ１）、受信したメッセージを体感刺激特定部３３に送信する。次に、体感刺激特定部３３は、受信したメッセージに特定情報（所定の情報）が含まれているか否かを判断する（Ｓ２）。
【００４８】
ここで、受信したメッセージに特定情報が含まれていると判断すると（Ｓ２でＹＥＳ）、体感刺激特定部３３は、体感刺激テーブル５１を参照して、Ｓ２で含まれていると判断した上記特定情報に応じた所定の体感刺激を特定し（体感刺激特定ステップ）、特定した体感刺激を体感刺激指示部３４に通知する。
【００４９】
次に、体感刺激指示部３４は、体感刺激特定部３３から通知された体感刺激を体感刺激発生部１５に発生せしめるための体感刺激情報を生成する（Ｓ３）。そして、体感刺激指示部３４は、上記体感刺激情報を腕時計型端末１０に送信する（Ｓ４：体感刺激指示ステップ）。すなわち、体感刺激指示部３４は、体感刺激特定部３３が特定した体感刺激を発生するように腕時計型端末１０に指示する。
【００５０】
また、データ受信部３１は、Ｓ１で受信したメッセージを表示部４１に表示し（Ｓ５）、処理が終了する。なお、受信したメッセージに特定情報が含まれていないと体感刺激特定部３３が判断した場合（Ｓ２でＮＯ）、Ｓ３およびＳ４の処理は行わずにＳ５に移行して、処理を終了する。なお、Ｓ５の処理は、メッセージを表示させるための入力操作をユーザが行ったことを契機として行ってもよい。
【００５１】
〔実施形態２〕
本発明の他の実施形態について、図５および図６に基づいて説明すれば、以下のとおりである。なお、説明の便宜上、前記実施形態にて説明した部材と同じ機能を有する部材については、同じ符号を付記し、その説明を省略する。
【００５２】
〔情報処理装置１ｂの構成〕
本実施形態に係る情報処理装置１ｂの構成について、図５を参照して説明する。図５は情報処理装置１ｂの要部構成を示すブロック図である。情報処理装置１ｂは、通信部２ｂ、制御部３ｂおよび体感刺激発生部６を備えている。
【００５３】
通信部２ｂは、実施形態１で説明した第１通信部２と同様の構成であるため、ここでの説明を省略する。
【００５４】
制御部３ｂは、実施形態１で説明した制御部３の体感刺激指示部３４に代り、体感刺激指示部３４ｂを含む。体感刺激指示部３４ｂは、体感刺激発生部６に体感刺激を発生するように指示する。詳細には、体感刺激指示部３４ｂは、体感刺激特定部３３が特定したパターンの体感刺激を体感刺激発生部６に発生せしめるための体感刺激情報を生成し、体感刺激発生部６に送信する。
【００５５】
体感刺激発生部６は体感刺激を発生するものである。体感刺激発生部６は収縮部６ａおよび振動部６ｂを備えている。収縮部６ａは実施形態１で説明した収縮部１５ａと同様の構成であり、振動部６ｂは実施形態１で説明した振動部１５ｂと同様の構成であるため、ここでの説明を省略する。このように、本実施形態の情報処理装置１ｂは、情報処理装置１ｂ自体で体感刺激を発生させるので、発生させた体感刺激がユーザに伝わるように、腕時計端末のようなウェアラブルな通信機器とすることが好ましい。
【００５６】
〔情報処理装置１ｂの処理の流れ〕
次に、情報処理装置１ｂが実行する処理の流れの一例について、図６を参照して説明する。図６は、情報処理装置１ｂの処理の流れの例を示すフローチャートである。なお、実施形態１の情報処理装置１と同様の処理は説明を省略する。
【００５７】
体感刺激指示部３４ｂは、体感刺激特定部３３から通知された体感刺激を体感刺激発生部１５に発生せしめるための体感刺激情報を生成する（Ｓ３）。そして、体感刺激指示部３４ｂは、上記体感刺激情報を体感刺激発生部６に送信する。すなわち、体感刺激指示部３４ｂは、体感刺激特定部３３が特定した体感刺激を発生するように体感刺激発生部６に指示する（体感刺激発生部６を制御する）（Ｓ１０：体感刺激指示ステップ）。続いて、Ｓ５に移行する。
【００５８】
〔実施形態３〕
〔ソフトウェアによる実現例〕
情報処理装置１、情報処理装置１ｂおよび腕時計型端末１０の制御ブロック（制御部３、制御部３ｂおよび体感刺激制御部１３）は、集積回路（ＩＣチップ）等に形成された論理回路（ハードウェア）によって実現してもよいし、ＣＰＵ（Central Processing Unit）を用いてソフトウェアによって実現してもよい。
【００５９】
後者の場合、情報処理装置１、情報処理装置１ｂおよび腕時計型端末１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００６０】
〔まとめ〕
本発明の態様１に係る情報処理装置（１、１ｂ）は、外部の通信機器からメッセージを受信する情報処理装置であって、上記メッセージに所定の情報が含まれている場合、該所定の情報に応じた所定の体感刺激を特定する体感刺激特定部（３３、３３ａ）と、上記情報処理装置のユーザに体感刺激を与える体感刺激発生部（６、１５）に対して、特定された上記所定の体感刺激を発生するように指示する体感刺激指示部（３４、３４ｂ）とを備えていることを特徴とする。
【００６１】
上記の構成によれば、情報処理装置は、受信したメッセージに所定の情報が含まれている場合、所定の情報に応じた所定の体感刺激を、体感刺激発生部に発生させる。そのため、体感刺激発生部が発生する体感刺激をユーザに感知させることによって、受信したメッセージに含まれている所定の情報をユーザに認識させることができる。例えば、目に障害があり、上記メッセージが表示されてもそれを確認することができないユーザに対して、受信したメッセージに含まれている所定の情報を通知することが可能となる。
【００６２】
本発明の態様２に係る情報処理装置は、上記態様１において、上記体感刺激特定部は、上記所定の情報が示す感情を表現した体感刺激を特定してもよい。
【００６３】
上記の構成によれば、受信したメッセージがどのような感情を示す情報を含むメッセージであるかを、ユーザに認識させることが可能になる。
【００６４】
本発明の態様３に係る情報処理装置は、上記態様１または２において、上記情報処理装置または他の機器は、互いに異なる上記体感刺激を発生する複数の体感刺激発生部を備えており、上記体感刺激指示部は、複数の上記体感刺激発生部のそれぞれに、異なる体感刺激を発生するように指示してもよい。
【００６５】
上記の構成によれば、１つだけの体感刺激発生部を備えている構成に比べて、多数のバリエーションの体感刺激をユーザに体感させることができる。
【００６６】
本発明の態様４に係るウェアラブル機器（腕時計型端末１０）は、体感刺激を発生する体感刺激発生部を備えているウェアラブル機器であって、上記態様１から３の何れか１態様の情報処理装置からの指示に従い、上記体感刺激発生部は上記体感刺激を発生してもよい。
【００６７】
上記の構成によれば、情報処理装置が受信したメッセージが含む所定の情報に応じた体感刺激を発生するウェアラブル機器を実現することができる。
【００６８】
本発明の態様５に係る情報処理装置の制御方法は、外部の通信機器からメッセージを受信する情報処理装置の制御方法であって、上記メッセージに所定の情報が含まれている場合、該所定の情報に応じた所定の体感刺激を特定する体感刺激特定ステップと、上記情報処理装置のユーザに体感刺激を与える体感刺激発生部に対して、特定された上記所定の体感刺激を発生するように指示する体感刺激指示ステップ（Ｓ４、Ｓ１０）とを含む。上記の構成によれば、上記態様１と同様の効果を奏する。
【００６９】
本発明の各態様に係る情報処理装置は、コンピュータによって実現してもよく、この場合には、コンピュータを上記情報処理装置が備える各部（ソフトウェア要素）として動作させることにより上記情報処理装置およびウェアラブル機器をコンピュータにて実現させる装置の制御プログラム、およびそれを記録したコンピュータ読み取り可能な記録媒体も、本発明の範疇に入る。
【００７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７１】
１、１ｂ  情報処理装置，６  体感刺激発生部，１３  体感刺激制御部，１０  腕時計型端末（他の機器、ウェアラブル機器），１５  体感刺激発生部，３３、３３ａ  体感刺激特定部，３４、３４ｂ  体感刺激指示部，Ｓ４、Ｓ１０  体感刺激指示ステップ
【図１】
2017038398.tif 000003
【図２】
2017038398.tif 000004
【図３】
2017038398.tif 000005
【図４】
2017038398.tif 000006
【図５】
2017038398.tif 000007
【図６】
2017038398.tif 000008
【国際調査報告】
2017038398.tif 000009
2017038398.tif 000010
2017038398.tif 000011
2017038398.tif 000012